(57)【要約】【目的】本発明は、重症急性呼吸器症候群（ＳＡＲＳ）患者を治療するための治療具として、コストがかからず持ち運びが容易であるために、広く普及することが可能でありながらも、病原体を周囲へ拡散させる二次感染を防ぎながらも患者を治療することができる治療用具を提供することを目的とするものである。【構成】本発明は、ビニール製の寝袋のような形状で、上カバーと下カバーを背面に縫着したファスナーで開閉して患者を収容し、上カバーの上部に設けたアーチフレーム挿入部にアーチフレームを挿入することで上カバーを持ち上げドーム状を成形し、上カバーには頭部側に患者の吐き出した空気を浄化するためのポンプを接続する空気吸込口を設け、足部側には空気を取り入れるためのフィルタを取り付けた空気取込口を設け、前記空気吸込口及び空気取込口の間には医療従事者が患者に処置を施すための処置窓を設けたことを特徴とする重症急性呼吸器症候群（ＳＡＲＳ）患者治療用具の構成とした。【選択図】  図１
2005118058.tif 000002
【特許請求の範囲】
【請求項１】
ビニール製の寝袋のような形状で、上カバーと下カバーを背面に縫着したファスナーで開閉して患者を収容し、上カバーの上部に設けたアーチフレーム挿入部にアーチフレームを挿入することで上カバーを持ち上げドーム状を成形し、上カバーには頭部側に患者の吐き出した空気を浄化するためのポンプを接続する空気吸込口を設け、足部側には空気を取り入れるためのフィルタを取り付けた空気取込口を設け、前記空気吸込口及び空気取込口の間には医療従事者が患者に処置を施すための処置窓を設けたことを特徴とする重症急性呼吸器症候群（ＳＡＲＳ）患者治療用具。
【請求項２】
中空で直方体状の袋に腕を収納するための袋を付けた十字型のビニール袋に患者を収容し、顔から胸にかけてフレームを設置することで形状を維持し、ひざの辺りををテープで縛ることで患者が吐き出した空気が漏れるのを抑え、逆流防止弁により空気の逆流を防止するポンプのバキュームによって空気の流れを一定方向に制御し、ホースを通して内部の空気を外部へ放出する際、枕をフィルタにすることによって清浄化した空気のみを放出することで患者を収納したまま処置を行うことを可能にしたことを特徴とする重症急性呼吸器症候群（ＳＡＲＳ）患者治療用具。
【発明の詳細な説明】
【０００１】
【発明の属する技術分野】
本発明は、新型の感染病である重症急性呼吸器症候群（ＳＡＲＳ）に感染した患者を二次感染を防ぎながら治療することができる治療用具に関する発明である。
【０００２】
【従来の技術】
新型の感染症である重症急性呼吸器症候群（ＳＡＲＳ）は、２００２年１１月中国広東省から端を発し、２００３年には世界各国で猛威を振るい多くの感染者を出している。
【０００３】
重症急性呼吸器症候群（ＳＡＲＳ）は、その原因が不明であったが、国際的な共同研究の結果、世界保健機関（ＷＨＯ）により「ＳＡＲＳコロナウイルス」と名付けられた新型のコロナウイルスが病原体であることが判明した。
【０００４】
【発明が解決しようとする課題】
しかしながら、病原菌が「ＳＡＲＳコロナウイルス」であることが判明しても、その明確な治療法は確定しておらず、更には感染経路についても、気道分泌物の飛沫感染が最も主要な感染経路と考えられているが、感染例から考えても空気感染の可能性も否定することができないなど、明確な結論は出ていない。
【０００５】
そのため、マスクの着用、病原体を可能性のある物や部屋の消毒等により感染の予防がされている。また、重症急性呼吸器症候群（ＳＡＲＳ）に感染した患者に対しての治療は、明確な治療法が確立されていないこと、発病初期にはＳＡＲＳとＳＡＲＳ以外の肺炎との鑑別が困難であるために、一般の細菌性肺炎の治療と同様な抗生物質を中心とした治療が取られている。
【０００６】
また、病状の進行の具合によっては、酸素療法や人工呼吸器等での治療となるが、ＳＡＲＳ患者からの二次感染を防ぐためにも、患者を隔離し、病原体が周囲に拡散することを防ぐことが必要で、その為に用いられている治療用具は、非常に高価であり、さらに容易に運搬等ができないために、その治療用具は広く普及されてはおらず、全ての患者に適用することは困難である。
【０００７】
そこで、本発明は、安価で持ち運びも容易であるために、広く普及することが可能でありながらも、病原体を周囲へ拡散させることを防ぎながら患者を治療することができる治療用具を提供することを目的とするものである。
【０００８】
【課題を解決するための手段】
本発明は、上記の課題を解決するために、ビニール製の寝袋のような形状で、上カバーと下カバーを背面に縫着したファスナーで開閉して患者を収容し、上カバーの上部に設けたアーチフレーム挿入部にアーチフレームを挿入することで上カバーを持ち上げドーム状を成形し、上カバーには頭部側に患者の吐き出した空気を浄化するためのポンプを接続する空気吸込口を設け、足部側には空気を取り入れるためのフィルタを取り付けた空気取込口を設け、前記空気吸込口及び空気取込口の間には医療従事者が患者に処置を施すための処置窓を設けたことを特徴とする重症急性呼吸器症候群（ＳＡＲＳ）患者治療用具の構成とした。
【０００９】
【実施例】
以下に、添付図面に基づいて、本発明である重症急性呼吸器症候群（ＳＡＲＳ）患者治療用具を詳細に説明する。図１は、本発明である重症急性呼吸器症候群（ＳＡＲＳ）患者治療用具の収納状態を示す正面図である。
【００１０】
図１に示すように、本発明である重症急性呼吸器症候群（ＳＡＲＳ）患者治療用具１は、ビニール製の薄い寝袋のような形状で、上カバー２と下カバー３を背面に縫着されたファスナー４を用いて開閉する構造である。
【００１１】
本発明である重症急性呼吸器症候群（ＳＡＲＳ）患者治療用具１は、図１に示すように、使用しない時には、丸めて収納することができるため、収納場所も取らず、持ち運びも容易である。
【００１２】
図２は、本発明である重症急性呼吸器症候群（ＳＡＲＳ）患者治療用具を開いた状態を示す平面図である。即ち、図１に示した収納時の丸めた状態を開き、ベッド８の上に載せた状態を示す平面図である。本発明である重症急性呼吸器症候群（ＳＡＲＳ）患者治療用具１は、ベッド８や診療台等の上に載せて使用する。
【００１３】
図２に示すように、本発明である重症急性呼吸器症候群（ＳＡＲＳ）患者治療用具１は、寝袋のような形状をしており、上カバー２と下カバー３は、正面部を残し、頭部側端４ａから足部側端４ｂに渡りその外周に縫着されたファスナー４のスライダ４ｃ、４ｄをそれぞれ左右にスライドさせることで開閉することが可能である。
【００１４】
本発明である重症急性呼吸器症候群（ＳＡＲＳ）患者治療用具１に患者を収容する場合、図２中に示した符号２ａが頭部側となり、符号２ｂが足部側となる。
【００１５】
上カバー２の表面側にはチューブ状のアーチフレーム挿入部５が３個所に設けられている。重症急性呼吸器症候群（ＳＡＲＳ）患者治療用具１に患者を収容後、前記アーチフレーム挿入部５にアーチフレームを挿入することで、上カバー２を持ち上げ、重症急性呼吸器症候群（ＳＡＲＳ）患者治療用具１本体をドーム状に形成する。
【００１６】
上カバー２の正面には頭部側２ａに近い位置に空気吸込口６が形成され、空気吸込口６の外周には空気を吸い込むポンプを設置するためのバルブ６ａが取り付けられている。また、足部側２ｂに近い側には患者の空気を確保するための空気取込口６ｂが設けられている。
【００１７】
前記空気吸込口６には、患者が吐き出した空気を吸引するためのポンプが接続される。ポンプには非常に目の細かいフィルタが設けられ、患者が吐き出した空気中に含まれている病原体等は、前記フィルタに付着し空気中から取り除かれ、クリーンな空気のみが外部に排出される。
【００１８】
前記空気取込口６ｂは、患者の空気を確保するためであるが、空気と共に様々な細菌等が重症急性呼吸器症候群（ＳＡＲＳ）患者治療用具１の内部に取り込まれることを防ぐために非常に目の細かいＮ９５フィルタが取り付けられている。
【００１９】
空気吸込口６及び空気取込口６ｂの間には、２個所の処置用窓７、７ａが設けられている。処置用窓７、７ａは、重症急性呼吸器症候群（ＳＡＲＳ）患者治療用具１に収容されている患者を処置する場合に、医療従事者が手を差し込む為の窓である。処置用窓７、７ａには手袋を取り付けて使用する。
【００２０】
図３及び図４は、本発明である重症急性呼吸器症候群（ＳＡＲＳ）患者治療用具の使用状態を示す図である。本発明である重症急性呼吸器症候群（ＳＡＲＳ）患者治療用具１を使用する場合、先ず図３に示すように、ファスナー４のスライダ４ｃを頭部側端４ａに向かい、スライダ４ｄを足部側端４ｂに向かいスライドさせることで、上カバー２と下カバー３を開く。
【００２１】
上カバー２と下カバー３を開いた状態で、頭部側２ａが頭部、足部側２ｂが足部になるように患者９を下カバー３の上に寝かせると、ちょうど空気吸込口６は患者９の頭部付近になるため、患者９の吐き出した空気は空気吸込口６に接続されるポンプによって浄化され、クリーンな空気が外部に排出される。
【００２２】
次に、図４に示すように、上カバー２を持ち上げ、下カバー３に被せるようにしてファスナー４をスライダ４ｃ、４ｄをスライドさせることで上カバー２と下カバー３の開口部を閉じると、重症急性呼吸器症候群（ＳＡＲＳ）患者治療用具１内部は隔離状態となる。
【００２３】
本発明である重症急性呼吸器症候群（ＳＡＲＳ）患者治療用具１の上カバー２及び下カバー３は、図４に示すように、半透明のビニール製であるため、重症急性呼吸器症候群（ＳＡＲＳ）患者治療用具１内に収容された患者９の様子が、重症急性呼吸器症候群（ＳＡＲＳ）患者治療用具１の外部からでも観察することができる。
【００２４】
図５は、本発明である重症急性呼吸器症候群（ＳＡＲＳ）患者治療用具の使用状態を示す右側面図である。即ち、重症急性呼吸器症候群（ＳＡＲＳ）患者治療用具１内に患者９を収容した状態で、頭部側２ａ方向から見た図である。
【００２５】
図５に示すように、本発明である重症急性呼吸器症候群（ＳＡＲＳ）患者治療用具１は、患者９を収容すると、アーチフレーム挿入部５にアーチフレーム１０を挿入し、上カバー２を持ち上げることで、重症急性呼吸器症候群（ＳＡＲＳ）患者治療用具１本体をドーム状にする。
【００２６】
本発明である重症急性呼吸器症候群（ＳＡＲＳ）患者治療用具１は、患者９を収容すると、重症急性呼吸器症候群（ＳＡＲＳ）患者治療用具１内の空気を浄化するために、上カバー２正面の頭部側２ａに近い位置に形成された空気吸込口６に空気中から病原体を取り除くためのフィルタを取りつけたポンプ１１を接続して使用する。
【００２７】
前記ポンプ１１は、空気吸込口６の外周に取り付けられたバルブ６ａにパイプ１１ａを接続し、患者９が吐き出した空気をポンプ１１に取り付けたフィルタに付着させることで、患者の吐き出した空気を浄化し、クリーンな空気のみを重症急性呼吸器症候群（ＳＡＲＳ）患者治療用具１外部に排出する。
【００２８】
患者９が呼吸するための空気は、上カバー２正面の足部側２ｂに近い位置に形成された空気取込口６ｂから取り込まれる。空気取込口６ｂには、非常に目の細かいＮ９５フィルタが取り付けられているため、空気と共に病原体や細菌等が重症急性呼吸器症候群（ＳＡＲＳ）患者治療用具１の内部に取り込まれることなく、クリーンな空気のみが取り込まれる。
【００２９】
図６は、本発明である重症急性呼吸器症候群（ＳＡＲＳ）患者治療用具の使用状態を示す右側面図である。即ち、重症急性呼吸器症候群（ＳＡＲＳ）患者治療用具１内に収容した患者９を医療従事者１３が処置している状態を頭部側２ａ方向から見た図である。
【００３０】
本発明である重症急性呼吸器症候群（ＳＡＲＳ）患者治療用具１の上カバー２の正面には、空気吸込口６と空気取込口６ｂの間に２個所の処置用窓７、７ａが設けられている。処置用窓７、７ａは、図６に示すように処置用の手袋１２、１２ａを取り付けることができる。
【００３１】
重症急性呼吸器症候群（ＳＡＲＳ）患者治療用具１内に収容されている患者９を処置するには、医療従事者１３が、処置用窓７、７ａに手袋１２、１２ａを取り付け、処置用窓７、７ａから手袋１２、１２ａに手を差し込み、患者９の処置を行う。
【００３２】
医療従事者１３が処置用窓７、７ａから手を差し込み患者９の処置を行えるので、患者９を隔離したまま処置を施すことができ、医療従事者１３をはじめ、周囲の人間への二次感染を防ぐことが可能である。
【００３３】
図７及び図８は、本発明である重症急性呼吸器症候群（ＳＡＲＳ）患者治療用具の他の実施例の使用状態を示す図である。図７及び図８に示すように、本例の重症急性呼吸器症候群（ＳＡＲＳ）患者治療用具１４は、図１から図６に示した重症急性呼吸器症候群（ＳＡＲＳ）患者治療用具１と同様にビニール製の寝袋の様な形状であるが、患者９が出入りするための開口部が上カバーの中央部に設けられている。
【００３４】
即ち、上カバーは左上カバー１５、右上カバー１５ａ、左右上カバー１５、１５ａを開閉するためのファスナー１７から形成され、ファスナー１７のスライダ１７ｃ、１７ｄをスライドさせることで、左ファスナー１７ａと右ファスナー１７ｂが開閉できる。
【００３５】
左上カバー１５には３個所にアーチフレーム挿入部１８、１８、１８が設けられ、右上カバー１５ａにもアーチフレーム挿入部１８、１８、１８と対称になる位置にアーチフレーム挿入部１８ａ、１８ａ、１８ａが設けられている。
【００３６】
重症急性呼吸器症候群（ＳＡＲＳ）患者治療用具１４に患者９を収容する場合、ファスナー１７のスライダ１７ｃ、１７ｄをそれぞれ頭部側、足部側に向けてスライドさせて左上カバー１５、右上カバー１５ａを開き開口部を作り、内部に患者９を収容する。
【００３７】
図８に示すように、重症急性呼吸器症候群（ＳＡＲＳ）患者治療用具１４内に患者９を収容すると、スライダ１７ｃ、１７ｄを中央方向にスライドさせて左右上カバー１５、１５ａを閉じる。
【００３８】
患者９を内部に収容すると、重症急性呼吸器症候群（ＳＡＲＳ）患者治療用具１４自体をドーム状に成形するため、左右アーチフレーム挿入部１８、１８ａにアーチフレームを挿入し、左右上カバー１５、１５ａの中央部を持ち上げる。
【００３９】
重症急性呼吸器症候群（ＳＡＲＳ）患者治療用具１４に患者９を収容後の使用方法は、図１から図６に示した本発明である重症急性呼吸器症候群（ＳＡＲＳ）患者治療用具１と同様である。
【００４０】
また、図７及び図８に示した本発明である重症急性呼吸器症候群（ＳＡＲＳ）治療用具１４ももちろん、図１から図６に示した重症急性呼吸器症候群（ＳＡＲＳ）患者治療用具１と同様にビニール製であるので、収納時には丸めて収納することができる。
【００４１】
図９は本発明である重症急性呼吸器症候群（ＳＡＲＳ）患者治療用具の使用前の状態を示す斜視図である。重症急性呼吸器症候群（ＳＡＲＳ）患者治療用具２１は、左腕収納部２１ｂ及び右腕収納部２１ｃを持つ治療用具本体２１ａからなる。
【００４２】
治療用具本体２１ａは、等身大のポリエチレン等のビニール材質で出来ており、中空で直方体型の形状である。治療用具本体２１ａの下面開口部２１ｄは開いており、袋のような状態になっている。人を収容する時は、下面開口部２１ｄから行う。
【００４３】
治療用具本体２１ａに人を収容した際、下面開口部２１ｄ側に足が来るようにして仰向けで入った場合、左側の側面が左側面部２１ｅで、右側の側面が右側面部２１ｆである。
【００４４】
治療用具本体２１ａの左側面部２１ｅには左挿入孔２１ｇ、右側面部２１ｆには右挿入孔２１ｈが円形状に空けられており、それぞれ左腕収納部２１ｂ、右腕収納部２１ｃが取り付けられる。
【００４５】
左腕収納部２１ｂ及び右腕収納部２１ｃは、治療用具本体２１ａと同様にポリエチレン等のビニール材質で出来ており、腕全体が入る程度の大きさの袋状で先は塞がっている。
【００４６】
左腕収納部２１ｂ及び右腕収納部２１ｃは、開いた側がそれぞれ治療用具本体２１ａの左挿入孔２１ｇ、右挿入孔２１ｈに空気が漏れないようにしっかりと取り付けられる。
【００４７】
治療用具本体２１ａ及び左右腕収納部２１ｂ、２１ｃは、病原体を含んだ空気が外部に漏れないように出入口となる下面開口部２１ｄ以外は完全に密閉状態になっている。
【００４８】
人を収納した際、左挿入孔２１ｇ及び右挿入孔２１ｈから左右両腕を通し、それぞれ左腕収納部２１ｂ、右腕収納部２１ｃに両腕を収納する。ビニールであるため、腕を自由に動かすことが可能である。
【００４９】
重症急性呼吸器症候群（ＳＡＲＳ）患者治療用具２１は、形状が十字型のシンプルな構造で材質もビニールであるため軽く扱い易いので、収納場所も取ることもないし、持ち運びも容易にできる。
【００５０】
図１０は本発明である重症急性呼吸器症候群（ＳＡＲＳ）患者治療用具の使用状態を示す正面図である。重症急性呼吸器症候群（ＳＡＲＳ）患者治療用具２１の中に患者２６を収容して、使用している状態における内部の様子を示した図である。
【００５１】
患者２６は治療用具本体２１ａに下面開口部２１ｄより収容される。頭部を先にかぶるようにして入り、下面開口部２１ｄに足が来るようにする。患者２６は仰向けになり頭部を奥の枕２３に乗せ、全身が治療用具本体２１ａの中に入るように収容する。
【００５２】
左腕は左腕収納部２１ｂの中に、右腕は右腕収納部２１ｃの中に収納する。患者２６を収容した状態においても、下面開口部２１ｄは閉じる必要はなく、開いた状態のまま使用する。
【００５３】
両腕を左右腕収納部２１ｂ、２１ｃに収納することで、患者２６は両腕を自由に動かすことができるようになり、ストレスが半減する。通常、ベッドや診療台等の上に患者２６を寝かせて使用するが、症状が軽度の場合、治療用具本体２１ａに入ったまま、歩行したりすることも可能である。
【００５４】
患者２６を治療用具本体２１ａの中に収容したら、治療用具本体２１ａがビニールであることから、患者２６が呼吸するための空間を確保できるようにフレーム２２を内部に設置する。
【００５５】
治療用具本体２１ａの内部への空気の出入りを抑えるため、ひざの辺りを治療用具本体２１ａの外側からテープ２５で巻き付けるようにして縛る。ひざを保護し、また隙間を小さくするために、テープ２５を巻く前にひざにはガーゼ２４をかけておく。
【００５６】
患者２６は起きあがったりするので、枕２３及びフレーム２２は治療用具本体２１ａに固定することができるようにする。また、脚が動かし易いようにテープ２５の位置は調節できるようにする。
【００５７】
図１１は本発明である重症急性呼吸器症候群（ＳＡＲＳ）患者治療用具の使用状態を示す断面図である。患者２６が治療用具本体２１ａに収納された状態を患者２６の頭部側から見た図である。
【００５８】
治療用具本体２１ａに収納された患者２６は仰向けになって頭部を枕２３に乗せる。両腕は左右腕収納部２１ｂ、２１ｃに収納する。フレーム２２を治療用具本体２１ａの内部に入れ、患者２６の顔から胸辺りにかけて上側を覆うように設置する。
【００５９】
フレーム２２は塩化ビニル製の板をアーチ状に加工した枠である。治療用具本体２１ａはビニールであるため、フレーム２２によって破れることがにように、フレーム２２は角などを丸めておく。
【００６０】
フレーム２２を設置して治療用具本体２１ａの形状を維持することにより、患者２６の上半身の空間が確保され、治療用具本体２１ａが患者２６の呼吸などによりしぼまないようにする。
【００６１】
血圧測定、ＰａＯ２測定、脈拍測定など患者２６に直接触れなくてもをできる処置については、左腕収納部２１ｂ又は右腕収納部２１ｃの上から行うことが可能である。
【００６２】
血管確保など直接患者２６に触れる必要がある場合であっても、必要に応じて左腕収納部２１ｂまたは右腕収納部２１ｃを切り取って処置を行うことも可能である。
【００６３】
図１２は、本発明である重症急性呼吸器症候群（ＳＡＲＳ）患者治療用具の使用状態を示す右側面図である。患者２６が治療用具本体２１ａに収納された状態を患者２６の横側から見た図である。
【００６４】
患者２６を治療用具本体２１ａに収容し、フレーム２２を顔から胸にかけて上側を覆うように設置した後、患者２６のひざの辺りにガーゼ２４をかけ、治療用具本体２１ａの外側からテープ２５で縛りつける。
【００６５】
ひざにガーゼ２４をかけることで、テープ２５の締め付けからひざを保護できる。隙間を埋めようとしてテープ２５をきつく締めると脚の自由を奪ってしまうが、ガーゼ２４がかかっていることできつく締めなくても隙間を小さくすることができる。
【００６６】
下面開口部２１ｄが開いていて、テープ２５で巻くだけなので、完全には密閉することはできないが、隙間を小さくすることにより治療用具本体２１ａの内部の空気が外部に漏れるのを抑えることができる。
【００６７】
枕２３には、ホース２７が取り付けられていて、患者２６の背中側を通して下面開口部２１ｄから治療用具本体２１ａの外へ出される。ホース２７の先にはポンプ２９が繋がっていて、途中に空気の流れを一定方向に保つための逆流防止弁２８が設けられている。
【００６８】
枕２３の中はフィルタになっていて、患者２６に呼吸により治療用具本体２１ａの内部に存在する病原体がホース２７へ流れていくのを遮断し、クリーンな空気のみを通過させる。
【００６９】
ポンプ２９はバキュームを発生させて空気を吸い込み、外部へ放出するようになっている。ポンプ２９はホース２７で枕２３に繋がっているので、治療用具本体２１ａの内部の空気は枕２３の方向に集められる。
【００７０】
ポンプ２９によるバキューム圧により、治療用具本体２１ａの内部の空気は全て一定方向に向かって流れるようになるため、ひざ周辺の隙間の空気も頭部に集めることができる。
【００７１】
空気の流れを感染源である頭部方向に向けることで、患者２６が呼吸により吐き出した病原体が下面開口部２１ｄより外部に漏れ出すのを防止することができる。
【００７２】
ポンプ２９によるバキュームのため、治療用具本体２１ａの内部は空気が放出されしぼんでしまうので、フレーム２２が患者２６の上半身の空間を確保し、呼吸ができなくなるのを防いでいる。
【００７３】
ポンプ２９により放出された空気は、ひざ周辺の隙間から別の空気が治療用具本体２１ａの内部へ補充される。または、ひざ周辺の隙間から空気を送り込むことによって空気を循環させる。
【００７４】
図１３は、本発明である重症急性呼吸器症候群（ＳＡＲＳ）患者治療用具の使用状態を示す右側面図を拡大したものである。治療用具本体２１ａは途中を省略して頭部と脚部のみを示してある。
【００７５】
患者２６は、フィルター付きの枕２３に頭部を乗せる。治療用具本体２１ａの内部空気３０は、ポンプ２９のバキュームにより枕２３に集められ、フィルターにより病原体を取り除かれて、ホース２７を通じて外部へ放出される。
【００７６】
枕２３のフィルタは、空気は通過できるが病原体は通過できないようになっており、内部空気３０は枕２３で病原体が遮断され清浄化される。ホース２７を通過するのは、クリーンな空気のみとなる。
【００７７】
治療用具本体２１ａの内部に存在する病原体も空気の流れと共に枕２３のフィルタに集められるので、治療用具本体２１ａの内部に病原体が漂い、再び吸い込んでしまうことも抑えられる。
【００７８】
逆流防止弁２８はホース２７に取り付けられていて、空気を一定方向にしか通さない弁を持っている。空気が枕２３側から流れてきた場合のみ弁を開けて通し、ポンプ２９側から流れてきた場合は弁を閉じて通さないことで、逆流を防止している。
【００７９】
空気が逆流した場合、ひざの周囲の隙間などから病原体が外部に漏れるおそれがあり、また空気が循環しないため治療用具本体２１ａの内部の酸素が不足するなど大変危険である。
【００８０】
枕２３のフィルタを用い、空気の流れを一定に保ちながら循環させることで、病原体を治療用具本体２１ａの外部に出すことなく、治療用具本体２１ａの内部で患者２６が呼吸することが可能である。
【００８１】
重症急性呼吸器症候群（ＳＡＲＳ）患者治療用具２１以外でも、枕２３に簡単なカバーを付け、バキューム圧を大きくすれば、病室内においても空気の流れを制御することができるので、枕２３については汎用性が高い。
【００８２】
【発明の効果】
本発明である重症急性呼吸器症候群（ＳＡＲＳ）患者治療用具は、以上に説明したような構成であるから、以下の効果が得られる。第１に、本発明である重症急性呼吸器症候群（ＳＡＲＳ）患者治療用具は、ビニール製であり寝袋のような形状をしているので、使用しないときは丸めて収納することができるため、収納場所を取らず、容易に持ち運ぶことが可能である。
【００８３】
第２に、コストがかからず、容易に持ち運ぶことも可能であることから、広く普及することができ、多くの重症急性呼吸器症候群（ＳＡＲＳ）患者が使用することができる。
【００８４】
第３に、本発明である重症急性呼吸器症候群（ＳＡＲＳ）治療用具内に重症急性呼吸器症候群（ＳＡＲＳ）患者を収容することで、患者を隔離したまま処置等ができるため、二次感染を防ぐことが可能である。
【００８５】
第４に、形状が十字型の重症急性呼吸器症候群（ＳＡＲＳ）患者治療用具を使用することで、患者は腕を自由に動かすことができるようになり、また、治療用具に入ったまま血圧測定、ＰａＯ２測定、脈拍測定を行うことが可能となる。
【００８６】
第５に、枕がフィルターになっている重症急性呼吸器症候群（ＳＡＲＳ）患者治療用具を使用することで、空気の流れを感染源である頭部方向に向けることができ、フィルターを通して清浄化された空気のみを外部へ放出することが可能となる。
【図面の簡単な説明】
【図１】本発明である重症急性呼吸器症候群（ＳＡＲＳ）患者治療用具の収納状態を示す正面図である。
【図２】本発明である重症急性呼吸器症候群（ＳＡＲＳ）患者治療用具を開いた状態を示す平面図である。
【図３】本発明である重症急性呼吸器症候群（ＳＡＲＳ）患者治療用具の使用状態を示す斜視図である。
【図４】本発明である重症急性呼吸器症候群（ＳＡＲＳ）患者治療用具の使用状態を示す斜視図である。
【図５】本発明である重症急性呼吸器症候群（ＳＡＲＳ）患者治療用具の使用状態を示す右側面図である。
【図６】本発明である重症急性呼吸器症候群（ＳＡＲＳ）患者治療用具の使用状態を示す右側面図である。
【図７】本発明である重症急性呼吸器症候群（ＳＡＲＳ）患者治療用具の他の実施例の使用状態を示す斜視図である。
【図８】本発明である重症急性呼吸器症候群（ＳＡＲＳ）患者治療用具の他の実施例の使用状態を示す斜視図である。
【図９】本発明である重症急性呼吸器症候群（ＳＡＲＳ）患者治療用具の使用前の状態を示す斜視図である。
【図１０】本発明である重症急性呼吸器症候群（ＳＡＲＳ）患者治療用具の使用状態を示す正面図である。
【図１１】本発明である重症急性呼吸器症候群（ＳＡＲＳ）患者治療用具の使用状態を示す断面図である。
【図１２】本発明である重症急性呼吸器症候群（ＳＡＲＳ）患者治療用具の使用状態を示す右側面図である。
【図１３】本発明である重症急性呼吸器症候群（ＳＡＲＳ）患者治療用具の使用状態を示す右側面図を拡大したものである。
【符号の説明】
１          重症急性呼吸器症候群（ＳＡＲＳ）患者治療用具
２          上カバー
２ａ        頭部
２ｂ        足部
３          下カバー
４          ファスナー
４ａ        頭部側端
４ｂ        足部側端
４ｃ、４ｄ  スライダ
５          アーチフレーム挿入部
６          空気吸込口
６ａ        バルブ
６ｂ        空気取込口
７、７ａ    処置用窓
８          ベッド
９          患者
１０          アーチフレーム
１１          ポンプ
１１ａ        パイプ
１２          手袋
１３          医療従事者
１４          重症急性呼吸器症候群（ＳＡＲＳ）患者治療用具
１５          左上カバー
１５ａ        右上カバー
１６          下カバー
１７          ファスナー
１７ａ        右ファスナー
１７ｂ        左ファスナー
１７ｃ、１７ｄ  スライダ
１８          右アーチフレーム挿入部
１８ａ        左アーチフレーム挿入部
１９          空気吸込口
１９ａ        空気取込口
２０、２０ａ  処置用窓
２１          重症急性呼吸器症候群（ＳＡＲＳ）患者治療用具
２１ａ        治療用具本体
２１ｂ        左腕収納部
２１ｃ        右腕収納部
２１ｄ        下面開口部
２１ｅ        左側面部
２１ｆ        右側面部
２１ｇ        左挿入孔
２１ｈ        右挿入孔
２２          フレーム
２３          枕
２４          ガーゼ
２５          テープ
２６          患者
２７          ホース
２８          逆流防止弁
２９          ポンプ
３０          内部空気
【図１】
2005118058.tif 000003
【図２】
2005118058.tif 000004
【図３】
2005118058.tif 000005
【図４】
2005118058.tif 000006
【図５】
2005118058.tif 000007
【図６】
2005118058.tif 000008
【図７】
2005118058.tif 000009
【図８】
2005118058.tif 000010
【図９】
2005118058.tif 000011
【図１０】
2005118058.tif 000012
【図１１】
2005118058.tif 000013
【図１２】
2005118058.tif 000014
【図１３】
2005118058.tif 000015